(57)【特許請求の範囲】
【請求項１】
加熱用気体の給気口および排気口が設けられているケーシングと、
このケーシング内に配され、かつ金属製パイプに曲げ加工を施すことにより複数の曲管部が形成されている複数の伝熱管と、
を備えており、
前記複数の伝熱管は、平面視略矩形状の複数のループ部が上下高さ方向に隙間を介して積層した複数の螺旋状伝熱管とされ、かつ前記各ループ部は、前記ケーシングの前後方向に延びる一対の直状管部と、前記ケーシングの左右幅方向に延びる他の一対の直状管部とを繋ぐ四隅部分が、前記複数の曲管部とされた構成であり、
前記複数の螺旋状伝熱管は、略同心の重ね巻き状に配され、かつこれら複数の螺旋状伝熱管のそれぞれにおける前記隙間を前記加熱用気体が通過するように構成されている、熱交換器であって、
前記複数の曲管部の曲率半径は、同一に揃えられており、
前記複数の曲管部の内側面には、表面が波形状の曲げ加工用部材に沿わせて前記金属製パイプを曲げることにより付された波形加工部が設けられている一方、前記複数の曲管部の外側面には、波形加工部は設けられておらず、
前記複数の螺旋状伝熱管には、これらの重ね巻き方向に前記複数の曲管部が並んだ領域があり、この領域において、前記重ね巻き方向において互いに隣接する曲管部は、内側に位置する曲管部の外側面と、外側に位置する曲管部の内側面の波形加工部とが、互いに対向した構成とされていることを特徴とする、熱交換器。
【請求項２】
加熱用気体供給手段と、この加熱用気体供給手段から供給される加熱用気体を利用して湯水加熱を行なうための熱交換器と、を備えている、温水装置であって、
前記熱交換器として、請求項１に記載の熱交換器が用いられていることを特徴とする、温水装置。
【発明の詳細な説明】
【技術分野】
【０００１】
本発明は、燃焼ガスなどの加熱用気体から伝熱管を利用して熱回収を行なうタイプの熱交換器、およびこれを備えた給湯装置などの温水装置に関する。
【背景技術】
【０００２】
本出願人は、熱交換器の一例として、特許文献１に記載されたものを先に提案している。同文献に記載された熱交換器は、燃焼ガスの給気口および排気口が形成されたケーシング内に、複数の伝熱管が収容された構成を有している。各伝熱管は、螺旋状伝熱管であって、平面視長円状の複数のループ部が上下高さ方向に隙間を介して積層した形態を有している。この伝熱管は、金属製パイプに曲げ加工を施すことにより製造される。ケーシング内に流入した燃焼ガスは、複数のループ部どうしの間に形成された隙間を通過し、その際に伝熱管に接触する。この作用により、燃焼ガスから熱回収がなされ、伝熱管内を流通する湯水が加熱される。このような構成の熱交換器によれば、直状管体方式の伝熱管を用いた熱交換器と比較して、伝熱管全体のサイズを小さくしつつ、その伝熱面積を大きくすることが可能である。したがって、熱交換器全体の大型化を抑制しながらも、高い熱交換効率が得られる。
【０００３】
しかしながら、前記従来技術においては、次に述べるように、未だ改善すべき余地があった。
【０００４】
すなわち、熱交換器の技術分野では、熱交換器の大型化や高コスト化を抑制しつつ、熱交換効率をさらに高めることが要望される。前記従来の熱交換器においては、複数の伝熱管の長寸法化を図ることにより熱交換効率をさらに高めることが可能であるものの、このような伝熱管の長寸法化のみによって熱交換効率を高めようとすると、熱交換器が大型化し、また製造コストも高くなってしまう。したがって、この点において改善の余地がある。なお、前記した要望に応えるための他の手段としては、たとえば伝熱管の外表面に多数のフィンを設け、伝熱面積の増大化を図るといったことも考えられる。ところが、このような手段を採用したのでは、多数のフィンを伝熱管に設ける作業が容易ではなく、相当に煩雑であるため、高コスト化を招く。とくに、螺旋状の伝熱管に多数のフィンを設けることは容易ではないために、前記した不具合は一層顕著となってしまう。
【先行技術文献】
【特許文献】
【０００５】
【特許文献１】特開２００７−３３３３４３号公報
【発明の概要】
【発明が解決しようとする課題】
【０００６】
本発明は、前記したような事情のもとで考え出されたものであって、大型化や製造コストの上昇を適切に抑制しつつ、熱交換効率を従来よりも高めることが可能な熱交換器、および熱交換器を備えた温水装置を提供することを、その課題としている。
【課題を解決するための手段】
【０００７】
上記の課題を解決するため、本発明では、次の技術的手段を講じている。
【０００８】
本発明の第１の側面により提供される熱交換器は、加熱用気体の給気口および排気口が設けられているケーシングと、このケーシング内に配され、かつ金属製パイプに曲げ加工を施すことにより複数の曲管部が形成されている複数の伝熱管と、を備えており、前記複数の伝熱管は、平面視略矩形状の複数のループ部が上下高さ方向に隙間を介して積層した複数の螺旋状伝熱管とされ、かつ前記各ループ部は、前記ケーシングの前後方向に延びる一対の直状管部と、前記ケーシングの左右幅方向に延びる他の一対の直状管部とを繋ぐ四隅部分が、前記複数の曲管部とされた構成であり、前記複数の螺旋状伝熱管は、略同心の重ね巻き状に配され、かつこれら複数の螺旋状伝熱管のそれぞれにおける前記隙間を前記加熱用気体が通過するように構成されている、熱交換器であって、前記複数の曲管部の曲率半径は、同一に揃えられており、前記複数の曲管部の内側面には、表面が波形状の曲げ加工用部材に沿わせて前記金属製パイプを曲げることにより付された波形加工部が設けられている一方、前記複数の曲管部の外側面には、波形加工部は設けられておらず、前記複数の螺旋状伝熱管には、これらの重ね巻き方向に前記複数の曲管部が並んだ領域があり、この領域において、前記重ね巻き方向において互いに隣接する曲管部は、内側に位置する曲管部の外側面と、外側に位置する曲管部の内側面の波形加工部とが、互いに対向した構成とされていることを特徴としている。
【０００９】
このような構成によれば、波形加工部の存在により伝熱管の表面積が増加する効果に加え、加熱用気体が波形加工部に向けて進行した際には加熱用気体の乱流化が促進され、波形加工部の近辺における加熱用気体の滞留時間が長くなって、加熱用気体が伝熱管に接触する機会が増加する効果が得られる。このようなことにより、伝熱管による熱回収量を多くすることができる。一方、波形加工部は、伝熱管の曲管部の内側面に形成されたものであって、伝熱管全体の大型化を生じさせる要因にはなり難い。また、波形加工部は、金属製パイプに曲げ加工を施して伝熱管を製造する際に、同時に形成されるものであり、この波形加工部を形成するための余分な作業工程は不要であり、その形成作業も容易である。このようなことから、本発明によれば、伝熱管の大型化、ひいては熱交換器の大型化や製造コストの上昇を抑制しつつ、前記従来技術よりも高い熱交換効率を得ることができる。
【００１１】
前記した構成によれば、伝熱管の直状管部の両端に繋がった曲管部の付近において、波形加工部の存在に起因する加熱用気体の乱流化促進が図られる。このため、伝熱管の直状管部のみならず、その両端に繋がった曲管部をも効率良く利用した熱回収が可能となる。
【００１２】
本発明の第２の側面により提供される温水装置は、加熱用気体供給手段と、この加熱用気体供給手段から供給される加熱用気体を利用して湯水加熱を行なうための熱交換器と、を備えている、温水装置であって、前記熱交換器として、本発明の第１の側面により提供される熱交換器が用いられていることを特徴としている。
【００１３】
このような構成によれば、本発明の第１の側面により提供される熱交換器について述べたのと同様な効果が得られる。
【００１４】
本発明のその他の特徴および利点は、添付図面を参照して以下に行なう発明の実施の形態の説明から、より明らかになるであろう。
【図面の簡単な説明】
【００１５】
【図１】温水装置の一例を示す概略正面断面図である。
【図２】図１に示す温水装置に用いられている熱交換器の平面断面図である。
【図３】図１のIII−III要部断面図である。
【図４】（ａ），（ｂ）は、図２に示す熱交換器の伝熱管を製作する工程を示す説明図である。
【図５】本発明に係る熱交換器の例を示す平面断面図である。
【図６】熱交換器の他の例を示す平面断面図である。
【図７】図６のVII−VII断面図である。
【図８】熱交換器の他の例を示す側面断面図である。
【図９】熱交換器の他の例を示す平面断面図である。
【図１０】熱交換器で用いられる伝熱管の他の例を示す平面図である。
【図１１】熱交換器の他の例を示す平面断面図である。
【図１２】熱交換器の他の例を示す平面断面図である。
【図１３】熱交換器で用いられる伝熱管の他の例を示す平面図である。
【発明を実施するための形態】
【００１６】
以下、本発明の好ましい実施の形態について、図面を参照して具体的に説明する。
【００１７】
図１〜図４は、熱交換器を備えた温水装置、およびこれに関連する構成の一例を示している。
本実施形態の温水装置ＷＨは、給湯装置として構成されており、全体の基本的な構成は、特許文献１に記載された給湯装置と同様である。図１に示すように、この温水装置ＷＨは、燃焼器３、１次熱交換器１、および２次熱交換器Ａ１を備えている。
【００１８】
燃焼器３は、たとえばガスバーナであり、缶体３０内に配され、かつ配管（図示略）を介して外部から缶体３０内に供給される燃料ガスを燃焼させる。この燃焼器３は、本発明でいう加熱用気体供給手段の一例に相当する。缶体３０内には、ファン３１から燃焼用空気が上向きに送風される。１次熱交換器１は、燃焼器３によって発生された燃焼ガスから顕熱を回収するためのものであり、たとえば複数のフィン１２を有する複数の伝熱管１１を有している。各伝熱管１１は、直状管であり、２次熱交換器Ａ１の後述する伝熱管４とは異なるため、フィン１２を設ける作業は比較的容易であり、その製造コストはさほど高価にはならない。
【００１９】
２次熱交換器Ａ１は、１次熱交換器１によって顕熱が回収された燃焼ガスからさらに潜熱を回収するためのものであり、缶体３０上に配されている。この２次熱交換器Ａ１は、複数の伝熱管４、これら複数の伝熱管４を内部に収容するケーシング２、および入水用および出湯用の一対のヘッダ４８，４９を備えている。
【００２０】
図２に示すように、複数の伝熱管４のそれぞれは、平面視長円状の複数のループ部４０を有する螺旋状である。各伝熱管４の基本的な構成は、やはり特許文献１に記載された伝熱管と同様であり、各ループ部４０は、幅方向中間領域Ｓａに、ケーシング２の左右横幅方向に延びて略平行な配置とされた一対の直状管部４０ａ，４０ｂが位置し、かつ幅方向端部寄り領域Ｓｂに、直状管部４０ａ，４０ｂの両端に繋がった半円弧状の曲管部４０ｃ，４０ｄが位置した構成である。これら複数のループ部４０は、一連に繋がって上下高さ方向に複数の隙間４６を介して積層している（図１を参照）。ただし、曲管部４０ｃ，４０ｄの内側面には、後述する波形加工部４５が設けられており、この点が特許文献１とは大きく相違している。
【００２１】
複数の伝熱管４は、それぞれのループ部４０の大きさが相違するように形成され、これらは略同心の重ね巻き状に配されている。各伝熱管４の下端および上端には、ケーシング２の一対の側壁部２０ｅ，２０ｆのいずれか一方を貫通する延設管体部４１，４２が繋がっており、これら延設管体部４１，４２の外端にヘッダ４８，４９が取り付けられている。図１によく表われているように、ヘッダ４９の出湯口は、適当な配管９９を介して伝熱管１１の入水口１１ａに接続されている。ヘッダ４８の入水口には、給水管９８が接続される。この給水管９８からヘッダ４８に供給された水は、複数の伝熱管４，１１を順次通過して加熱され、その後出湯口１１ｂから所望の給湯先に供給される。
【００２２】
各伝熱管４は、金属製パイプに曲げ加工を施すことにより形成されている。燃焼ガスから潜熱を回収すると、強酸性の凝縮水が発生するため、好ましくは、各伝熱管４は、耐酸性に優れるステンレスなどの材質である。伝熱管４の製造に際しては、図４（ａ）に示す
ように、伝熱管４の原材料として、直管状の金属製パイプ４’が使用され、また曲げ加工用の器具として、表面が波形状に形成された曲げ加工用部材８が使用される。金属製パイプ４’は、その原材料コストを廉価にする観点からすると、好ましくは、表面や内面に特殊な加工などが施されていない単なる筒状のパイプとされる。同図（ｂ）に示すように、曲げ加工用部材８の表面に沿わせて金属製パイプ４’を曲げることにより、曲管部４０ｃまたは４０ｄが形成される（ただし、同図では、曲管部４０ｃまたは４０ｄが形成される途中段階を示している）。曲げ加工用部材８として、外面の曲率半径が相違する複数種類のものを使用し、前記したような曲げ加工を繰り返すことにより、平面視長円状の螺旋状の伝熱管４を形成することが可能である。本実施形態の伝熱管４においては、曲管部４０ｃ，４０ｄの内側面に、曲げ加工用部材８の表面形状に対応した波形加工部４５が形成されている。この波形加工部４５は、フィン状に突出した複数の筋状部分が略一定の間隔で並んだ凹凸状である。
【００２３】
ケーシング２は、中空の略直方体状であり、伝熱管４と同様にたとえばステンレス製である。図３に示すように、このケーシング２の後壁部２０ｃには給気口２１が設けられており、１次熱交換器１を通過した燃焼ガスが補助部材１９によって給気口２１に導かれるようになっている。給気口２１は、伝熱管４の直状管部４０ａに対面した配置であり、この給気口２１からケーシング２内に流入した燃焼ガスは、そのままケーシング２内の前部に向けて進行して伝熱管４の各部に作用し、熱回収がなされる。ケーシング２の前壁部２０ｄには、排気口２２が設けられており、熱回収がなされた燃焼ガスは、排ガスとして排気口２２から外部に排出される。
【００２４】
排気口２２と伝熱管４との間には、仕切り板３８が設けられている。この仕切り板３８は、給気口２１からケーシング２内に進行した燃焼ガスがそのまま排気口２２に向けて直線的に進行してケーシング２の外部に排出されることを抑制する機能を発揮する。この仕切り板３８が設けられていることにより、給気口２１からケーシング２内に流入した燃焼ガスの多くを、伝熱管４の端部寄り領域Ｓｂに向けて進行させることが可能である。また、仕切り板３８は、伝熱管４に付着している凝縮水が燃焼ガスによって排気口２２に向けて吹き飛ばされることを防止するのにも役立つ。もちろん、本発明においては、このような仕切り板３８が設けられていない構成とすることもできる。
【００２５】
次に、前記した温水装置ＷＨの作用について説明する。
【００２６】
まず、燃焼器３が駆動して燃焼ガスが発生すると、この燃焼ガスは１次熱交換器１によって顕熱が回収された後に、２次熱交換器Ａ１の給気口２１からケーシング２内に流入する。すると、この燃焼ガスは、複数の伝熱管４の隙間４６を通過して排気口２２に到達してから外部に排出される。このような過程において、前記燃焼ガスからは各伝熱管４によって潜熱回収がなされ、湯水加熱が行なわれる。
【００２７】
各伝熱管４は、曲管部４０ｃ，４０ｄの内側面に波形加工部４５が設けられた構成を有しているために、各伝熱管４の表面積（伝熱面積）が増大することに加え、次のような効果も得られる。すなわち、燃焼ガスが波形加工部４５に向けて進行した際には燃焼ガスの乱流化が促進され、燃焼ガスが各伝熱管４の幅方向端部寄り領域Ｓｂ付近において長時間にわたって滞留し、燃焼ガスと曲管部４０ｃ，４０ｄとの接触頻度が高くなる効果が得られる。したがって、曲管部４０ｃ，４０伝熱管による熱回収量を多くすることができる。なお、給気口２１は、各伝熱管４の幅方向中央領域Ｓａの直状管部４０ａに対面しているために、各直状管部４０ａは元々その熱回収量が多い。このようなことから、本実施形態では、伝熱管４の全域が熱回収に有効に利用され、高い熱交換効率を得ることが可能となる。
【００２８】
一方、波形加工部４５は、伝熱管４の曲管部４０ｃ，４０ｄの内側面に大きく嵩張った状態にはなく、伝熱管４全体の大型化を生じさせる要因にはならない。また、波形加工部４５は、図４を参照して説明したとおり、金属製パイプ４’に曲げ加工を施して曲管部４０ｃ，４０ｄを製造する際に、同時に形成されるものであり、従来の伝熱管の製造作業工程と同一の工程数で伝熱管４を容易に製造することが可能である。このようなことから、２次熱交換器Ａ１の大型化や製造コストの上昇も適切に抑制することができる。
【００２９】
図５〜図１３は、他の実施形態を示している。これらの図において、前記実施形態と同一または類似の要素には、前記実施形態と同一の符号を付している。
【００３０】
図５に示す熱交換器Ａ２において、各伝熱管４Ａは、平面視略矩形のループ部４０Ａを有する螺旋状に形成されている。より具体的には、各伝熱管４の幅方向両端部領域は、ケーシング２の前後方向に延びる比較的短寸の直状管部４０ｅ，４０ｆを有し、これらの直状管部４０ｅ，４０ｆとケーシング２の幅方向に延びる直状管部４０ａ，４０ｂとが曲管部４０ｇを介して一体的に繋がっている。本実施形態における曲管部４０ｇは、１／４円弧状である。好ましくは、複数の曲管部４０ｇのそれぞれの曲率半径は各所同一寸法に揃えられている。曲率半径が同一であれば、複数の曲管部４０ｇの全てを１種類の曲げ装置を用いた同一の作業工程で順次形成することが可能である。各曲管部４０ｇの内側面には、先の実施形態で示したのと同様な波形加工部４５が設けられている。なお、図５においては、波形加工部４５を単純化して模式的に示している。この点は、後述する図９についても同様である。
【００３１】
本実施形態においても、各伝熱管４Ａの幅方向端部寄り領域の複数箇所に波形加工部４５が設けられているため、その近辺において燃焼ガスの乱流化を促進し、燃焼ガスの滞留期間を長くすることができる。したがって、各伝熱管４Ａの端部寄り領域を有効に利用した熱回収が可能であり、高い熱交換効率が得られる。なお、伝熱管４を平面視略矩形状に形成すれば、ケーシング２の四隅部分またはその近傍部分にも伝熱管４を配置させることが可能となるため、ケーシング２内のデッドスペースを小さくして、伝熱管４の全長寸法を長くとることができる。
【００３２】
図６および図７に示す熱交換器Ａ３においては、ケーシング２の底壁部２０ａに、給気口２１が設けられている。また、最内周の伝熱管４の内方の領域２５（最内周の伝熱管４によって囲まれた領域）には、燃焼ガス用のガイド部材５が設けられている。この熱交換器Ａ３では、燃焼ガスが給気口２１から領域２５に流入し、その後は矢印Ｎ１〜Ｎ４で示すような経路で進行するようになっている。すなわち、領域２５に流入した燃焼ガスは、ガイド部材５のガイド作用によって、矢印Ｎ１で示すようにケーシング２内の後部に向けて進行し、矢印Ｎ２で示すようにケーシング２の後壁部２０ｃに衝突する。すると、前記燃焼ガスは、その後にケーシング２内を前向きに進行することとなって、図６の矢印Ｎ３で示すように、ガイド部材５の両側方を通過する。また、前記燃焼ガスの一部は、図７の矢印Ｎ３’で示すように、ガイド部材５の上部５ａとケーシング２の上壁部２０ｂとの隙間２５ｂも通過する。このようにして、ケーシング２内の前部側に進行した燃焼ガスは、矢印Ｎ４で示すように、排気口２２からケーシング２の外部に排出される。
【００３３】
本実施形態によれば、燃焼ガスが矢印Ｎ３で示すように進行するために、伝熱管４の端部寄り領域の曲管部２０ｃ，２０ｄに対して多くの燃焼ガスを効率良く、かつ確実に進行させることが可能である。これに対し、伝熱管４の端部寄り領域に位置する曲管部２０ｃ，２０ｄは、波形加工部４５を有しているために、伝熱管４の端部寄り領域によって燃焼ガスから回収される熱量を多くするのにより好ましいものとなる。
【００３４】
図８に示す熱交換器Ａ４においては、ケーシング２の底壁部２０ａのうち、伝熱管４よ
りも後方寄りの位置に給気口２１が設けられている。この給気口２１からケーシング２内に流入した燃焼ガスは、その後に前向きに進行して各伝熱管４に作用する。燃焼ガスを略水平方向に進行させて伝熱管に作用させる手段としては、図６および図７などに示した手段に代えて、たとえば本実施形態のような構造を採用することもできる。
【００３５】
図９に示す熱交換器Ａ５においては、伝熱管４Ｂが、蛇行状とされている。より具体的には、伝熱管４Ｂは、複数の直状管部４０ｈと、複数の曲管部４０ｉとを有しており、これらは平面視において蛇行状となるように一連に繋がっている。各曲管部４０ｉの内側面には、波形加工部４５が設けられている。本実施形態においても、給気口２１からケーシング２内に流入した燃焼ガスが各曲管部４０ｉの位置に進行した際には、燃焼ガスの乱流化が促進され、各曲管部４０ｉおよびその近傍部分による熱回収量を多くすることが可能であり、螺旋状の伝熱管を用いた先の実施形態と同様な効果が得られる。なお、本実施形態では、図６および図７に示した実施形態と同様に給気口２１とガイド部材５とを組み合わせた燃焼ガス供給方式が採用されているが、蛇行状の伝熱管を用いた場合において、燃焼ガスの供給方式がこれに限らないことは勿論である。
【００３６】
図１０に示す伝熱管４Ｃは、平面視円形状の螺旋状伝熱管である。この伝熱管４Ｃにおいては、ループ部４０Ｃの全体が曲管部に相当している。このため、ループ部４０Ｃの内周面の全域に波形加工部４５が設けられている。
【００３７】
図１１〜図１３に示す実施形態は、伝熱管の全ての曲管部に波形加工部を設けるのではなく、波形加工部を特定の一部の曲管部のみに設ける場合の具体例を示している。
【００３８】
すなわち、図１１に示す熱交換器Ａ１’は、伝熱管４の端部寄り領域Ｓｂのうち、燃焼ガスの給気口２１寄りの領域Ｓｃに、波形加工部４５が設けられているのに対し、排気口２２寄りの領域Ｓｄには、波形加工部４５が設けられていない構成とされている。これ以外の構成は、先に述べた熱交換器Ａ１と同様である。図１１と同様に、図１２に示す熱交換器Ａ２’では、伝熱管４Ａの端部寄り領域の曲管部４０ｇのうち、排気口２２寄りの領域には波形加工部４５が設けられていない。これ以外の構成は、先に述べた熱交換器Ａ２と同様である。なお、図１１および図１２に示した構成とは反対に、排気口２２寄りの領域に波形加工部４５を設け、かつ給気口２１寄りの領域に波形加工部４５が設けられていない構成とすることも可能である。図１３に示す伝熱管４Ｃ’では、中央寄り領域Seのみに波形加工部４５が設けられ、それ以外の領域には波形加工部４５が設けられていない。これ以外の構成は、先に述べた伝熱管４Ｃと同様である。
【００３９】
これら図１１〜図１３に示した実施形態によれば、熱交換器のケーシング２内における燃焼ガスの滞留時間を少し短くすることが可能であり、燃焼ガスの滞留時間を、熱交換効率を高めるのに最適な条件またはこれに近い条件に設定するための手段として有効に適用することができる。なお、１本の伝熱管に、波形加工部が設けられている曲管部と、波形加工部が設けられていない曲管部とを設ける場合には、曲げ加工用部材として、表面が波形状に形成されているものと、形成されていないものとの２種類の部材を用いればよいことは言うまでもない。
【００４０】
本発明は、上述した実施形態の内容に限定されない。本発明に係る熱交換器、および温水装置の各部の具体的な構成は、種々に設計変更自在である。
【００４１】
本発明でいう波形加工部は、熱交換効率を高める観点からすると、波形（凹凸）の高低
差が大きく、かつその数が多いほど好ましいものの、それらの具体的な内容は限定されない。波形加工部は、要は、伝熱管の原材料となる金属製パイプを、表面が波形状の曲げ加工用部材に沿わせて曲げることにより付されたものであって、本発明が意図する作用、すなわち加熱用気体の乱流化を促進する機能を発揮し得る程度の波形状（凹凸状）であればよい。伝熱管に複数の曲管部が設けられている場合、図１１〜図１３などに示した実施形態から理解されるように、それら複数の曲管部の一部に、波形加工部が設けられていない曲管部が含まれている場合であっても、本発明の技術的範囲に包摂される。
【００４２】
ケーシングは、伝熱管の螺旋状管体部を収容し、かつ内部に燃焼ガスなどの加熱用気体が流入されればよく、その具体的な形状やサイズなども限定されない。上述の実施形態では、顕熱回収用の１次熱交換器については、本発明を適用していないが、本発明に係る熱交換器は、顕熱回収用、潜熱回収用の種別を問わない。本発明に係る熱交換器を、顕熱回収に用いることもできる。本発明でいう温水装置とは、湯を生成する機能を備えた装置の意であり、一般給湯用、風呂給湯用、暖房用、あるいは融雪用などの各種の給湯装置、および給湯以外に用いられる湯を生成する装置を広く含む概念である。加熱用気体としては、燃焼ガス以外として、たとえばコージェネレーション用のガスエンジンや燃料電池からの排ガスなどを用いることもできる。
【符号の説明】
【００４３】
ＷＨ  温水装置
Ａ１〜Ａ５，Ａ１’，Ａ２’  熱交換器
２  ケーシング
３  燃焼器（加熱用気体供給手段）
４，４Ａ〜４Ｃ，４Ｃ’伝熱管
８  曲げ加工用部材
２１  給気口
２２  排気口
４０，４０Ａ〜４０Ｃ  ループ部（伝熱管の）
４０ｃ，４０ｄ  曲管部
４０ｇ，４０ｉ  曲管部
４５  波形加工部
【図１】
0005742073.tif 000002
【図２】
0005742073.tif 000003
【図３】
0005742073.tif 000004
【図４】
0005742073.tif 000005
【図５】
0005742073.tif 000006
【図６】
0005742073.tif 000007
【図７】
0005742073.tif 000008
【図８】
0005742073.tif 000009
【図９】
0005742073.tif 000010
【図１０】
0005742073.tif 000011
【図１１】
0005742073.tif 000012
【図１２】
0005742073.tif 000013
【図１３】
0005742073.tif 000014